(57)【要約】【課題】用途に応じて形状を変形可能であるとともに、安価で効率的に製造できる収納材を提供する。【解決手段】収納材１は１枚の板体を折り曲げて組み立てられる。この収納材１は、底板２と、互いに対向するように起立板３，４と、背板５とを備える。また、底板２の上方で起立板３，４間に開口部６を備える。さら、開口部６の一部を閉塞する第１の位置と、開口部６を閉塞しない第２の位置との間で回動可能な仕切り板７，８を備える。仕切り板７，８は、仕切り板部４５，４６と、この仕切り板部４５，４６の両側部から突出した固定片４７，４８とを有する。起立板３，４は固定片４７，４８を固定可能な固定部４１，４２を有する。固定部４１，４２は、仕切り板７，８を第１の位置で固定する第１固定部７１と、仕切り板７，８を第２の位置で固定する第２固定部７２とを有する。【選択図】図１
0003191558.tif 000002
【実用新案登録請求の範囲】
【請求項１】
１枚の板体を折り曲げて組み立てられた収納材であって、
底板と、
この底板の両側部から立設され互いに対向した起立板と、
前記底板の端部から立設されかつ前記起立板に接続された背板と、
前記起立板間において前記底板および前記背板とは反対側へ開口した開口部と、
前記底板および前記背板の少なくとも一方にヒンジ部を介して接続され、前記開口部の一部を閉塞する第１の位置と前記開口部を閉塞しない第２の位置との間で回動可能な仕切り板とを備え、
前記仕切り板は、前記第１の位置で前記開口部の一部を閉塞する仕切り板部と、この仕切り板部の両側部から突出した固定片とを有し、
前記起立板は、前記固定片を固定可能な固定部を有し、
前記固定部は、前記仕切り板を第１の位置で固定するための第１固定部と、前記仕切り板を第２の位置で固定するための第２固定部とを有する
ことを特徴とする収納材。
【請求項２】
第１固定部は、固定片を挿脱可能で、前記固定片が挿入されることにより仕切り板を第１の位置で固定し、
第２固定部は、前記固定片を挿脱可能で、前記固定片が挿入されることにより前記仕切り板を第２の位置で固定し、
これら第１固定部および第２固定部は、起立板に設けられた切込線により形成された第１羽根部および第２羽根部を有し、
これら第１羽部および第２羽部は、前記固定片が固定部に挿入される際に前記固定片を挿入可能な開口を形成可能であり、
前記第１羽部は、前記固定片が前記固定部に挿入された状態にて、前記固定片が挿入された状態を保持する
ことを特徴とする請求項１記載の収納材。
【請求項３】
第１羽部は、固定片が固定部に挿入される際には先端部側が内側へ移動して第２羽部とともに前記固定片を挿入可能な空隙を形成し、前記固定片が前記固定部に挿入された状態では前記固定片を挿入する際に移動した前記先端部側が外側へ移動して起立板と略平行な状態となり前記固定部に前記固定片が挿入された状態を保持し、
第２羽部は、前記固定片が前記固定部に挿入される際には先端部側が内側へ移動して前記第１羽部とともに前記固定片を挿入可能な空隙を形成し、前記固定片が前記固定部に挿入された状態では前記固定片に重なるように接触し前記先端部が内側へ移動した状態が維持される
ことを特徴とする請求項２記載の収納材。
【請求項４】
第１固定部と第２固定部とは、対称に形成され、
固定片が前記第１固定部にて固定された状態における前記固定片と前記第１固定部との位置関係と、前記固定片が前記第２固定部にて固定された状態における前記固定片と前記第２固定部との位置関係とが同じである
ことを特徴とする請求項１ないし３いずれか一記載の収納材。
【考案の詳細な説明】
【技術分野】
【０００１】
本考案は、書類や冊子やファイル等の被収納物を収納するための収納材に関する。
【背景技術】
【０００２】
従来、書類や冊子やファイル等の被収納物を起立させた状態で収納できる収納材としては、底板と、この底板の両側部から互いに対向して立設された起立板と、底板の一端部である背面側から立設された背板と、底板の他端部または背板の底板とは反対側の端部から起立板よりはるかに低く立設されるように起立板に対して着脱自在に取り付けられた仕切り板とを備え、正面の一部と上面とが開口されたプラスチック製の構成が知られている（例えば、特許文献１参照。）。
【０００３】
そして、このような構成の収納材は、平面視で長方形状の被収納物を収納する際には、被収納物の収納状態を考慮して、使用状態が選択される。すなわち、底板を底部として起立板および背板の長手方向が鉛直方向となるいわゆる縦置き状態で設置して被収納物を収納する場合と、背板を底部として起立板および底板の長手方向が鉛直方向となるいわゆる横置き状態で設置して被収納物を設置する場合とが選択される。
【０００４】
そこで、特許文献１の収納材は、仕切り板を着脱自在とすることによって、収納材を縦置きに設置して使用する際に底板の他端部に仕切り板が取り付けられた状態と、収納材を横置きに設置して使用する際に背板の底板とは反対側の端部に仕切り板が取り付けられた状態とに変更可能であり、収納材の使用状態に応じて、仕切り板の位置を変更できる。
【０００５】
ここで、特許文献１のようにプラスチック等の合成樹脂で収納材を製造する場合には、製造コストが高く、例えば、想定される用途によっては合成樹脂ほどの強度が求められていない場合があり、より安価な収納材が求められていた。
【０００６】
そこで、安価に製造可能な収納材において、用途に応じて変形可能なものとしては、折り曲げ可能な一枚のダンボール等の板体にて形成され、折り方を変更することにより、上面が開閉自在な直方体である第１形体と、上面が開口された直方体である第２形体とに選択可能な構成が知られている（例えば、特許文献２参照。）。
【先行技術文献】
【特許文献】
【０００７】
【特許文献１】実公平３−３７９８９号公報
【特許文献２】特開２０１２−３０８２７号公報
【考案の概要】
【考案が解決しようとする課題】
【０００８】
しかしながら、上述の特許文献１の構成では、第１形体と第２形体とで大きく形状が異なるため、第１形体を形成するための挿入片およびこの挿入片が挿入される切欠と、第２形体を形成するための挿入片およびこの挿入片が挿入される切欠とをそれぞれ設ける必要がある。そして、特に挿入片をいくつも設けるには、段ボール等の板体を複雑な形状にカットする必要があることから、製造が煩雑になるとともに、挿入片を形成するために切り捨てる箇所が多く発生する。その結果、効率的に製造できないという問題が考えられる。
【０００９】
本考案はこのような点に鑑みなされたもので、用途に応じて形状を変形可能であるとともに、安価で効率的に製造できる収納材を提供することを目的とする。
【課題を解決するための手段】
【００１０】
本考案は、１枚の板体を折り曲げて組み立てられた収納材であって、底板と、この底板の両側部から立設され互いに対向した起立板と、前記底板の端部から立設されかつ前記起立板に接続された背板と、前記起立板間において前記底板および前記背板とは反対側へ開口した開口部と、前記底板および前記背板の少なくとも一方にヒンジ部を介して接続され、前記開口部の一部を閉塞する第１の位置と前記開口部を閉塞しない第２の位置との間で回動可能な仕切り板とを備え、前記仕切り板は、前記第１の位置で前記開口部の一部を閉塞する仕切り板部と、この仕切り板部の両側部から突出した固定片とを有し、前記起立板は、前記固定片を固定可能な固定部を有し、前記固定部は、前記仕切り板を第１の位置で固定するための第１固定部と、前記仕切り板を第２の位置で固定するための第２固定部とを有するものである。
【考案の効果】
【００１１】
本考案によれば、１枚の板体を折り曲げて組立可能であり、仕切り板が第１の位置と第２の位置との間で回動可能であるとともに、固定片を固定する固定部が、仕切り板を第１の位置で固定するための第１固定部と、仕切り板を第２の位置で固定するための第２固定部とを有するため、用途に応じて形状を変形可能であるとともに、簡単な構成であり安価で効率的に製造できる。
【図面の簡単な説明】
【００１２】
【図１】本考案の一実施の形態に係る収納材の構成を示す斜視図である。
【図２】同上収納材の展開状態を示す平面図である。
【図３】同上収納材において固定片と切込部との関係を示す側面図である。
【図４】同上収納材において底板側の仕切り板が第２の位置で固定された状態を示す斜視図である。
【考案を実施するための形態】
【００１３】
以下、本考案の一実施の形態の構成について図面を参照しながら詳細に説明する。
【００１４】
図１には収納材１を示す。この収納材１は、書類や冊子やファイル等の図示しない被収納物を、起立させた状態で収納する際に使用するものである。
【００１５】
収納材１は、矩形状の底板２を備える。この底板２の短手方向の両端部である両側部には、矩形の一部が切り欠かれた形状、すなわち台形状の起立板３，４が互いに対向して立設されている。
【００１６】
また、底板２の長手方向の一端部には、起立板３，４の短手方向の一端部に接続された背板５が立設されている。
【００１７】
さらに、収納材１は、底板２の上方で対向する起立板３と起立板４との間において、底板２および背板５とは反対側、すなわち底板２の長手方向の他端部側および背板５の長手方向の他端部側へ開口した開口部６を備えている。
【００１８】
また、底板２において背板５とは反対側である長手方向の他端部には仕切り板７が回動可能に接続され、背板５における底板２とは反対側である他端部には仕切り板８が回動可能に接続されている。これら仕切り板７，８は、底板２や背板５に対して起立し開口部６の一部を閉塞する第１の位置と、底板２や背板５の外側にて底板２や背板５と平行で開口部６を閉塞しない第２の位置との間で回動可能である。
【００１９】
このような収納材１は、図２に示すような、例えばダンボール等の紙やプラスチック等の合成樹脂等にて形成された１枚の板体９を折り曲げて組み立てられる。
【００２０】
底板２は、第１底板部材１１と、第２底板部材１２と、第３底板部材１３とから構成される。
【００２１】
第１底板部材１１は、矩形状の第１底板部１４を有し、この第１底板部１４は、短手方向の一端部が起立板３に接続されている。また、第１底板部１４の起立板３とは反対側である短手方向の他端部には、略矩形状に突出した第１突出片１５が折り曲げ線１６にて折り曲げ可能に連設されている。さらに、この第１突出片１５における第１底板部１４側の端部である基端部には、第１切欠部１７が設けられている。また、第１底板部１４の長手方向の他端部には、仕切り板７が回動可能に接続されている。
【００２２】
第２底板部材１２は、矩形の一端部が台形状に切り欠かれて短手方向の一端部が他端部より長い形状の第２底板部２１を有している。この第２底板部２１は、短手方向の一端部が起立板４に接続されている。また、第２底板部２１における起立板４側の端部には、第１突出片１５が挿入可能な第２切欠部２２が設けられている。さらに、起立板４の一部から第２底板部２１の一部にわたって切り欠くことにより、第１切欠部１７に挿入可能な第２突出片２３が設けられている。この第２突出片２３には、折り曲げ線２４が設けられており、この折り曲げ線２４にて、第２底板部２１の短手方向の一端部に沿って折り曲げ可能である。
【００２３】
第３底板部材１３は、第２底板部２１の長手方向の一端部の形状に倣った台形状の第３底板部２６を有している。この第３底板部２６は、台形の長辺側が、背板５において収納材１を組み立てた場合に底板２側となる長手方向の一端部に接続されている。
【００２４】
そして、板体９を折り曲げて収納材１を組み立てた状態では、第２底板部２１の長手方向の一端部に対応するように第３底板部２６が配置されて、第２底板部２１と第３底板部２６とで矩形を形成した状態にて、第１底板部１４上に重ねられる。また、第１突出片１５が第２切欠部２２に挿入され、第２突出片２３が第１切欠部１７に挿入されることにより、第１底板部材１１と第２底板部材１２と第３底板部材１３とで底板２を構成した状態が保持される。
【００２５】
背板５は、矩形状の背板部材２７にて構成されている。この背板部材２７は、長手方向の一端部が折り曲げ線２８を介して第３底板部２６に連設され、長手方向の他端部に仕切り板８が接続されている。また、背板部材２７は、短手方向の一端部が起立板３に接続され、短手方向の他端部が起立板４に接続されている。
【００２６】
起立板３，４は、起立板部材３１，３２にて構成されている。これら起立板部材３１，３２は、底板２および背板５に連設された台形状の起立板部３３，３４と、図示しない折り曲げ線を介して起立板部３３，３４に連設された折返片３５，３６とを有している。なお、これら折返片３５，３６は、起立板部３３，３４において収納材１が組み立てられた状態にて内面側となる面へ折り返された状態で接着されている。
【００２７】
起立板部３３は、短手方向の一端部である長辺が背板部材２７の短手方向の一端部に折り曲げ線３７を介して折り曲げ可能に連設されているとともに、長手方向の一端部である長辺が第１底板部１４の短手方向の一端部に折り曲げ線３８を介して折り曲げ可能に連設されている。
【００２８】
起立板部４は、短手方向の一端部である長辺が背板部材２７の短手方向の他端部に折り曲げ線３９を介して折り曲げ可能に連設されているとともに、長手方向の一端部である長辺が第２底板部２１の短手方向の一端部に折り曲げ線４０を介して折り曲げ可能に連設されている。
【００２９】
起立板部３３，３４には、仕切り板７に対応した位置に切込線にて形成された固定部４１と、仕切り板８に対応した位置に切込線にて形成された固定部４２とが設けられている。
【００３０】
仕切り板７は、底板２に回動可能に接続された仕切り板部材４３にて構成され、仕切り板８は、背板５に回動可能に接続された仕切り板部材４４にて構成される。
【００３１】
仕切り板部材４３，４４は、矩形状の仕切り板部４５，４６を有している。また、これら仕切り板部４５，４６の両側には、固定部４１，４２にて仕切り板７，８を第１の位置または第２の位置にて固定するための固定片４７，４８が設けられている。
【００３２】
ここで、固定部４１，４２は、固定片４７，４８を挿脱可能な第１固定部７１および第２固定部７２を有している。これら第１固定部７１および第２固定部７２は、起立板部３３，３４において、対称に配置され、かつ、同形状の鏡像変換状に形成されている。
【００３３】
第１固定部７１は、固定片４７，４８が挿入されることにより、仕切り板７，８を第１の位置で固定する。
【００３４】
第２固定部７２は、固定片４７，４８が挿入されることにより、仕切り板７，８を第２の位置で固定する。
【００３５】
したがって、仕切り板７，８は、開口部６の一部を閉塞する第１の位置と、開口部６を閉塞しない第２の位置とを選択可能であり、かつ、選択した位置で固定可能である。
【００３６】
第１固定部７１および第２固定部７２は、一部が起立板部３３，３４に一体に接続した第１羽部５１と、一部が起立板部３３，３４に一体に接続され第１羽部５１に隣接した第２羽部５２とを有する。
【００３７】
第１羽部５１は、切込線５３，５４によって、基端部となる一辺のみが起立板部３３，３４に一体に接続された未完図形状となるように形成されている。また、第１羽部５１は、切込線５４の一部で直線状の直線部５５と、この直線部５５に接続された先端辺部５６とを有している。
【００３８】
このような第１羽部５１は、起立板部３３，３４と一体に接続された基端部より先端部側が起立板部３３，３４に対して移動可能である。
【００３９】
第２羽部５２は、第１羽部５１と共通の切込線５４および切込線５７によって、基端部となる一辺のみが起立板部３３，３４に接続された未完図形状となるように形成されている。また、第２羽部５２は、切込線５７の一部で曲線状の曲線部５８と、第１羽部５１とは反対側の端部から第１羽部５１側へ弧状に切り込まれた弧状部５９とを有する。
【００４０】
このような第２羽部５２は、起立板部３３，３４と一体の基端部より先端部側が起立板部３３，３４に対して移動可能である。
【００４１】
そして、第１羽部５１および第２羽部５２は、先端部を、起立板部３３，３４の一方側、すなわち収納材１を組み立てた状態における内側へ押し込むように移動することで、切込線５３および切込線５７との間に、固定片４７，４８が挿入可能な空隙を形成可能である。
【００４２】
仕切り板部４５は、長手方向の一端部が第１底板部１４の長手方向の他端部に、ヒンジ部としての折り曲げ線６１を介して回動可能に接続されている。
【００４３】
固定片４７は、仕切り板部４５の幅方向の両端部である両側部に、折り曲げ線６１に直交する折り曲げ線６２を介して回動可能に接続されている。
【００４４】
仕切り板部４６は、長手方向の一端部が背板部材２７の長手方向の他端部に、ヒンジ部としての折り曲げ線６３を介して回動可能に接続されている。
【００４５】
固定片４８は、仕切り板部４６の幅方向の両端部である両側部に、折り曲げ線６３に直交する折り曲げ線６４を介して接続されている。
【００４６】
固定片４７，４８は、仕切り板部４５，４６に接続されている基端から先端へ向けて細いテーパ状に形成された基部６５を有している。また、この基部６５より先端側には、第１固定部７１および第２固定部７２に挿入可能な挿入部６６が一体に設けられている。
【００４７】
挿入部６６の幅方向の一方側には、挿入部６６が第１固定部７１や第２固定部７２に挿入された状態にて、第１固定部７１および第２固定部７２の一端部である弧状部５９に引っ掛かるように基部６５の幅方向の一方側へ弧状に突出した突出部６７が設けられている。
【００４８】
挿入部６６の幅方向の他方側には、基部６５の先端から直線状に延出した直線部６８が設けられている。また、この直線部６８の先端側には、直線部６８より幅方向に突出した突出部６９が設けられている。
【００４９】
図３に示すように、固定片４７，４８が固定部４１，４２に固定された状態では、第１羽部５１の直線部５５と挿入部６６の直線部６８とが対向し、第１羽部５１の先端辺部５６と挿入部６６の突出部６９とが対向する。そのため、挿入部６６が第１固定部７１や第２固定部７２から抜ける方向に仕切り板７，８が回動しようとしても、第１羽部５１の直線部５５と挿入部６６の直線部６８とが干渉して直線状に接触するとともに、第１羽部５１の先端辺部５６と挿入部６６の突出部６９とが干渉して、固定片４７，４８が挿入された状態が保持される。
【００５０】
また、第１固定部７１と第２固定部７２とが対称に配置されかつ同形状の鏡像変換状であるため、固定片４７，４８が第１固定部７１に固定された状態における固定片４７，４８と第１固定部７１との位置関係と、固定片４７，４８が第２固定部７２に固定された状態における固定片４７，４８と第２固定部７２との位置関係とが同じであり、固定片４７，４８と第１固定部７１との係合状態と、固定片４７，４８と第２固定部７２との係合状態とが同じになる。
【００５１】
そして、板体９にて収納材１を組み立てる際には、折り曲げ線３７，３９にて背板部材２７に対して起立板部３３，３４を折り曲げ、折り曲げ線２８にて背板部材２７に対して第３底板部２６を折り曲げ、折り曲げ線４０にて起立板部３４に対して第２底板部２１を折り曲げ、折り曲げ線３８にて起立板部３３に対して第１底板部１４を折り曲げる。
【００５２】
このように各折り曲げ線２８，３７，３８，３９，４０で板体９を折り曲げることにより、第３底板部２６が第２底板部２１の長手方向の一端部に対応するように両者が配置されて略矩形を形成するとともに、これら矩形を形成した第２底板部２１および第３底板部２６が第１底板部１４の上側、すなわち第１底板部１４の内側面に重ねられて底板２が構成される。また、底板２の両側部から起立板３，４が互いに対抗するように立設され、かつ、底板２の長手方向の一端部から背板５が立設されて収納材１が組み立てられた状態となる。
【００５３】
さらに、第１突出片１５を第２切欠部２２に挿入するとともに第２突出片２３を第２切欠部２２に挿入することにより、収納材１が組み立てられた状態が保持される。
【００５４】
このように収納材１が組み立てられた状態にて、仕切り板７は、図１に示すように、起立板部３３，３４における短手方向の他端部である短辺に接触し収納材１の前面に配置されて開口部６の一部を閉塞する第１の位置と、図４に示すように、第１底板部１４における開口部６とは反対側の外側面に接触し収納材１の底面に配置されて開口部６を閉塞しない第２の位置との間で回動可能である。
【００５５】
また、仕切り板８は、収納材１が組み立てられた状態にて、図４に示すように、起立板部３３，３４の長手方向の他端部である短辺に接触し収納材１の上面に配置されて開口部６の一部を閉塞する第１の位置と、図１に示すように、背板部材２７における開口部６とは反対側の外側面に接触し収納材１の背面に配置されて開口部６を閉塞しない第２の位置との間で回動可能である。
【００５６】
仕切り板７，８の固定片４７，４８を第１固定部７１に挿入する際には、折り曲げ線６２，６４にて、第１の位置にて内側となる方へ固定片４７，４８を折り曲げる。
【００５７】
このように折り曲げた固定片４７，４８を起立板部３３，３４に当接させ、固定片４７，４８にて第１羽部５１および第２羽部５２を起立板３，４の内側へ向かって押し込むことにより、第１羽部５１および第２羽部５２の先端部側が内側へ移動して、固定片４７，４８の挿入部６６が挿入可能な空隙を形成する。
【００５８】
また、空隙を形成しながら、曲線部５８と第２羽部５２の先端部との間に、突出部６７から挿入部６６を挿入する。
【００５９】
第１固定部７１への挿入部６６の挿入が完了し挿入部６６が第１固定部７１に挿入された状態では、第１羽部５１と固定片４７，４８との当接が解除される。
【００６０】
また、固定片４７，４８との当接が解除された第１羽部５１は、挿入部６６を挿入する際に移動した先端部側が外側へ復元するように移動し、切込線５３，５４との空隙が閉塞されて起立板部３３，３４と略平行な状態となる。
【００６１】
そして、第１羽部５１の直線部５５と挿入部６６の直線部６８とが対向するとともに第１羽部５１の先端辺部５６と挿入部６６の突出部６９とが対向した状態となることで、直線部５５と先端辺部５６とがそれぞれ挿入部６６が第１固定部７１から抜けるのを阻害するため、第１羽部５１によって、第１固定部７１または第２固定部７２に固定片４７，４８が挿入された状態が保持される。
【００６２】
このように第１羽部５１によって第１固定部７１または第２固定部７２に固定片４７，４８が挿入された状態が保持された状態では、第２羽部５２と固定片４７，４８との当接は維持され、切込線５７と第２羽部５２との空隙が確保されて、この空隙に挿入部６６が挿入された状態が維持される。
【００６３】
一方、仕切り板７，８を回動させて第２固定部７２に固定する際には、指等で第１羽部５１を内側へ押し込んで、第１羽部５１と切込線５３，５４との空隙を確保する。
【００６４】
また、空隙を確保した状態で、折り曲げ線６１，６２にて仕切り板７，８を回動させて、挿入部６６を引き抜くように移動させる。
【００６５】
さらに、固定片４７，４８を折り曲げ線６２，６４にて、第１固定部７１に固定した状態とは反対の方向へ折り曲げ、第１固定部７１に固定した場合と同様に、挿入部６６を第２固定部７２に挿入して、仕切り板７，８を第２の位置に固定する。
【００６６】
なお、第２の位置での仕切り板７，８の固定を解除する際には、第１の位置での固定の解除と同様の手順で解除する。
【００６７】
次に、上記一実施の形態の効果を説明する。
【００６８】
上記収納材１によれば、１枚の板体９を折り曲げて組み立てられ、仕切り板７，８が第１の位置と第２の位置との間で回動可能であるとともに、仕切り板７，８の固定片４７，４８を固定する固定部４１，４２が仕切り板７，８を第１の位置で固定するための第１固定部７１と、仕切り板７，８を第２の位置で固定するための第２固定部７２とを有するため、用途に応じて形状を変形可能であるとともに、簡単な構成であり、安価で効率的に製造できる。
【００６９】
特に、第１固定部７１は固定片４７，４８を挿脱可能であり、固定片４７，４８が第１固定部７１に挿入されることにより仕切り板７，８を第１の位置で固定し、第２固定部７２は固定片４７，４８を挿脱可能であり、固定片４７，４８が第２固定部７２に挿入されることにより仕切り板７，８が第２の位置で固定する構成にすることにより、簡単な構成にでき、安価で効率的に製造できる。
【００７０】
また、第１固定部７１および第２固定部７２は、起立板部３３，３４に設けられた切込線５３，５４，５７により形成された第１羽根部５１および第２羽根部５２を有し、第１羽部５１および第２羽部５２は、固定片４７，４８が固定部４１，４２に挿入される際に挿入部６６を挿入可能な開口を形成可能であるとともに、第１羽部５１は、固定片４７，４８が固定部４１，４２に挿入された状態にて、固定片４７，４８が挿入された状態を保持する構成にすることにより、挿入部６６が簡単に挿入できるとともに、挿入部６６が挿入されて固定片４７，４８が固定された状態を保持でき不意に固定片４７，４８の固定状態が解除されにくい。
【００７１】
より具体的には、第１羽部５１は、挿入部６６が第１固定部７１や第２固定部７２に挿入される際には先端部側が起立板部３３，３４より内側へ移動して第２羽部５２とともに挿入部６６を挿入可能な開口を形成し、挿入部６６が第１固定部７１や第２固定部７２に挿入された状態では挿入部６６を挿入する際に内側へ移動した先端部側が外側へ復元して起立板部３３，３４と略平行な状態になって固定部４１，４２に固定片４７，４８が挿入された状態を保持する。また、第２羽部５２は、挿入部６６が第１固定部７１や第２固定部７２に挿入される際には先端部側が起立板部３３，３４より内側へ移動して第１羽部５１とともに挿入部６６を挿入可能な開口を形成し、挿入部６６が第１固定部７１や第２固定部７２に挿入された状態では挿入部６６に重なるように接触し先端部が内側へ移動した状態が維持される。したがって、挿入部６６を挿入する際には、第１羽部５１および第２羽部５２の先端部側を移動させて容易に挿入部６６を挿入するための空隙を形成できるとともに、挿入部６６が挿入された状態では、第１羽部５１によって挿入部６６が第１固定部７１や第２固定部７２から抜けることを防止できる。
【００７２】
特に、挿入部６６が弧状に突出した突出部６７を有し、切込線５７が曲線部５８を有するため、挿入部６６を第１固定部７１や第２固定部７２に挿入する際には、曲線同士が接触し、接触面積が小さいので、挿入する際の抵抗が少なく、挿入部６６を挿入しやすい。
【００７３】
また、挿入部６６が直線部６８を有し、第１羽部５１が直線部５５を有するため、挿入部６６が挿入された状態にて、挿入部６６の直線部６８と第１羽部５１の直線部５５とが対向し、挿入部６６の挿入が解除される方向に仕切り板７，８が回動しようとしても、挿入部６６の直線部６８と第１羽部５１の直線部５５とが直線同士で接触して接触面積が大きいので、挿入を解除するための抵抗が大きく、不意に挿入部６６が第１固定部７１や第２固定部７２から抜けることを防止できる。
【００７４】
第１固定部７１と第２固定部７２とが対称に形成され、固定片４７，４８が第１固定部７１にて固定された状態における固定片４７，４８と第１固定部７１との位置関係と、固定片４７，４８が第２固定部７２にて固定された状態における固定片４７，４８と第２固定部７２との位置関係とが同じである。そのため、仕切り板７，８は、第１固定部７１および第２固定部７２のいずれも同じ関係で係合可能であり、第１の位置と第２の位置との切り替えが容易である。
【００７５】
また、第１固定部７１と第２固定部７２とが対称に形成され、仕切り板７，８が折り曲げ線６１，６３を介して底板２や背板５に対して回動可能に接続され、固定片４７，４８が折り曲げ線６２，６４を介して仕切り板部４５，４６に対して回動可能に接続されているため、仕切り板７，８や固定片４７，４８を回動させてそれぞれ反転させるだけで、第１固定部７１に固定可能な状態と、第２固定部７２に固定可能な状態とを切り替えることができ、変形作業が容易である。
【００７６】
したがって、１枚の板体９の折り方を変更することにより変形可能な収納材１であって、折り方が異なる２つの形態でありながら、仕切り板７，８と第１固定部７１および第２固定部７２とが同じ状態で係合可能な構成にできる。そのため、底板２が底面となって設置されるいわゆる縦置き状態と、背板５が底面となって設置されるいわゆる縦置き状態とを容易に切り替えることができるとともに、縦置き状態および横置き状態における仕切り板７，８の配置を容易に変更できる。
【００７７】
なお、上記一実施の形態では、底板２の端部に仕切り板７が設けられ、背板５の端部に仕切り板８が設けられた構成としたが、このような構成には限定されず、底板２および背板５の少なくとも一方に仕切り板が設けられた構成であればよい。
【００７８】
第１固定部７１および第２固定部７２は、挿入部６６が挿入されて仕切り板７，８を第１の位置または第２の位置で固定する構成としたが、このような構成には限定されず、仕切り板７，８を第１の位置または第２の位置で固定できる構成であれば、例えば面ファスナ等で固定する構成にしてもよい。
【００７９】
また、第１固定部７１および第２固定部７２が挿入部６６を挿入することにより仕切り板７，８を固定する構成にする場合には、第１固定部７１および第２固定部７２は、第１羽部５１および第２羽部５２を有する構成には限定されず、挿入部６６を挿入して仕切り板７，８を固定できる構成であれば適宜設計できる。
【符号の説明】
【００８０】
１    収納材
２    底板
３    起立板
４    起立板
５    背板
６    開口部
７    仕切り板
８    仕切り板
９    板体
４１  固定部
４２  固定部
４５  仕切り板部
４６  仕切り板部
４７  固定片
４８  固定片
５１  第１羽部
５２  第２羽部
５３  切込線
５４  切込線
５７  切込線
６１  ヒンジ部としての折り曲げ線
６３  ヒンジ部としての折り曲げ線
７１  第１固定部
７２  第２固定部
【図１】
0003191558.tif 000003
【図２】
0003191558.tif 000004
【図３】
0003191558.tif 000005
【図４】
0003191558.tif 000006